(57)【要約】      （修正有）【課題】構造が簡単で、撹拌筐体の内壁の清掃効果が良いゴム材料装置の提供。【解決手段】第三弾性件と第四弾性件６０の作用のもとで接続板５８とそぐブロック６４が撹拌筐体の内壁と張り合わせて、ブロックが上下に伸びて、その後に第二電気回転機械がロータを通じて滑り接続ブロックを駆動し、上にスライドし第二円錐形プーリー記第一円錐形プーリーと離れて噛み合わせて、電力供給ブロックが第二電気接続ブロックと離れて相殺させ、その後に第一電気回転機械を起動し第一電気回転機械が第一交換軸を回転可能なように駆動し、第一交換軸が前記接続板とそぐブロックと連動して撹拌筐体の内壁を清掃する。【選択図】図４
2019171355.tif 000002
【特許請求の範囲】
【請求項１】
ゴム材料装置であって、架体に固定的に取り付けられるスタッフィングボックスを含み、前記スタッフィングボックスに撹拌筐体が設置され、前記撹拌筐体の底壁に外部と連通する排泄溝が設置され、前記排泄溝にバルブが固定的に取り付けられ、前記撹拌筐体の頂壁に外部と連通するビアホールが設置され、前記スタッフィングボックスの頂部端面に前記ビアホールと連通するホッパーが固定的に設置され、前記ホッパーの頂部カバーにエンドキャップが設置され、前記撹拌筐体の頂壁に第一安全接続溝と前記第一安全接続溝の上方に位置する第二安全接続溝が設置され、前記第一安全接続溝の底壁に上下に伸びる第一交換軸が回転可能なように取り付けられ、前記第一交換軸の上端が前記第一安全接続溝に伸びて交換ブロックが固定的に取り付けられ、下端が前記撹拌筐体に伸びて上下に交錯し撹拌アームが取り付けられ、前記第一交換軸に上下が連通する交換溝が設置され、前記交換溝がベアリングを通じて上下に伸びる第二交換軸が回転可能なように取り付けられ、前記第二交換軸が前記交換ブロックを通り抜けて前記第一交換溝の頂壁と前記第二安全接続溝に伸びて、前記第二安全接続溝に前記第二交換軸と固定的に接続する第一円錐形プーリーが設置され、前記第一交換溝が第三交換軸を通じて第一ギアを取り付けて、前記第三交換軸の上端が前記第一交換溝の頂壁に固定的に取り付けられる第一電気回転機械と動力が伝達可能なように接続し、前記交換ブロックに前記第一ギアと係合し接続するリングギアが固定的に設置され、前記第二安全接続溝の右端壁に上下に伸びる第一滑り接続溝が設置され、前記第一滑り接続溝に上下に摺動可能なように接続する滑り接続ブロックが取り付けられ、前記滑り接続ブロックに上下に伸びるロータが係合し取り付けられ、前記ロータの下端が前記第一滑り接続溝の下端壁に回転可能なように取り付けられ、上端が前記第一滑り接続溝の頂壁に固定的に取り付けられる第二電気回転機械と動力が伝達可能なように接続し、前記第二安全接続溝が第四交換軸を通じて前記第一円錐形プーリーと係合し接続する第二円錐形プーリーを設置し、前記第四交換軸が前記滑り接続ブロックに固定的に取り付けられる第三電気回転機械と動力が伝達可能なように接続し、前記交換溝に前記撹拌アームと対応し前記第二交換軸と固定的に接続する接続筒が設置され、前記撹拌アームに左右が連通する第二滑り接続溝が設置され、前記第二滑り接続溝が前記交換溝の間に連通する第一通接溝が設置され、前記第二滑り接続溝に左右に摺動可能なように接続する滑り接続軸が取り付けられ、前記滑り接続軸に左右が連通する第二通接溝が設置され、前記撹拌アームが前記第一交換軸と離れる一端に前記滑り接続軸と固定的に接続する接続板が設置され、前記接続板に上下が連通する口が前記第一交換軸と離れる第四滑り接続溝が設置され、前記第四滑り接続溝に上下が対等に上下に摺動可能なように接続するそぐブロックが取り付けられ、前記第四滑り接続溝が前記第二滑り接続溝の間に第三通接溝が設置され、前記第四滑り接続溝が軸レバーを通じて二つのそぐブロックの間に位置する定滑車を回転可能なように取り付け、二つのそぐブロックが相対する端面に接続ロープが固定的に取り付けられ、前記接続ロープが前記定滑車を迂回し順番に前記第三通接溝を通り抜けて、第二通接溝と第一通接溝が前記接続筒と固定的に接続し、前記交換ブロックにロック装置が設置され、前記第一安全接続溝の頂壁に前記ロック装置と係合する電気接続装置が設置され、前記ロック装置は前記交換ブロックに設置される第一交換筐体と前記第一交換筐体に設置され前記第二交換軸と固定的に接続する第二ギアを含み、前記第一交換筐体が前記第二ギアと離れる端壁に第五滑り接続溝が設置され、前記第五滑り接続溝に鉄片が摺動可能なように接続し取り付けられ、前記鉄片が前記第二ギアに向かう端面に前記第二ギアと係合するロックギアが設置され、前記第五滑り接続溝が前記第二ギアと離れる端壁に前記鉄片と係合する電磁装置が固定的に取り付けられ、前記第五滑り接続溝の上下の端壁に対等に第一導接溝が設置され、前記第一導接溝に前記鉄片と固定的に接続する第一導接ブロックが摺動可能なように接続し取り付けられ、前記第一導接溝に前記第一導接ブロックと接続する第一弾性件が取り付けられ、前記電気接続装置は前記第一安全接続溝の頂壁に設置される第二交換筐体と前記第二交換筐体に設置され前記第一交換軸と固定的に接続する導電輪を含み、前記第二交換筐体の右端壁に第六滑り接続溝が設置され、前記第六滑り接続溝に第一電気接続ブロックが摺動可能なように接続し取り付けられ、前記第一電気接続ブロックの右端面に前記第六滑り接続溝の右端壁と相殺する第二弾性件が固定的に取り付けられ、前記第二弾性件が前記第一電気接続ブロックを左に押圧し前記導電輪と相殺させ、前記第六滑り接続溝の右端壁の前記第一滑り接続溝の底壁に前記第一電気接続ブロックと電気的に接続する第二電気接続ブロックが固定的に取り付けられ、前記滑り接続ブロックの下端面に商用電源と接続し前記第二電気接続ブロックと係合する電力供給ブロックが固定的に取り付けられ、前記第二滑り接続溝の上下の端壁に対等に第二導接溝が設置され、前記第二導接溝に前記滑り接続軸と固定的に接続する第二導接ブロックが摺動可能なように接続し取り付けられ、前記第二導接溝に前記第二導接ブロックと固定的に接続する第三弾性件が固定的に取り付けられ、前記第四滑り接続溝に上下に対等に第三導接溝が設置され、前記第三導接溝に前記そぐブロックと固定的に接続する第三導接ブロックが摺動可能なように接続し取り付けられ、前記第三導接溝に前記第三導接ブロックと固定的に接続する第四弾性件が固定的に取り付けられることを特徴とするゴム材料装置。
【発明の詳細な説明】
【技術分野】
【０００１】
本発明は新材料技術分野に関し、具体的には便利なゴム材料装置に関する。
【背景技術】
【０００２】
ゴム材料は現代工業に広く使われる新型材料であり、ゴム材料を加工生産する過程に攪拌装置を使って触媒とゴム助剤を急速に融合させ使用反応時間を短縮する必要があり、しかし伝統的なゴム助剤設備の設定モードは単一で、使用した後に清掃しにくく、設備の内壁に多くの殘留物が残され、二回目に使用する際に深刻な影響がある。
【先行技術文献】
【特許文献】
【０００３】
【特許文献１】中国特許出願公開第106552687号明細書
【発明の概要】
【発明が解決しようとする課題】
【０００４】
上記の技術の不足に対して、本発明は便利なゴム材料装置を提供した。
【課題を解決するための手段】
【０００５】
本発明に係る便利なゴム材料装置は、架体に固定的に取り付けられるスタッフィングボックスを含み、前記スタッフィングボックスに撹拌筐体が設置され、前記撹拌筐体の底壁に外部と連通する排泄溝が設置され、前記排泄溝にバルブが固定的に取り付けられ、前記撹拌筐体の頂壁に外部と連通するビアホールが設置され、前記スタッフィングボックスの頂部端面に前記ビアホールと連通するホッパーが固定的に設置され、前記ホッパーの頂部カバーにエンドキャップが設置され、前記撹拌筐体の頂壁に第一安全接続溝と前記第一安全接続溝の上方に位置する第二安全接続溝が設置され、前記第一安全接続溝の底壁に上下に伸びる第一交換軸が回転可能なように取り付けられ、前記第一交換軸の上端が前記第一安全接続溝に伸びて交換ブロックが固定的に取り付けられ、下端が前記撹拌筐体に伸びて上下に交錯し撹拌アームが取り付けられ、前記第一交換軸に上下が連通する交換溝が設置され、前記交換溝がベアリングを通じて上下に伸びる第二交換軸が回転可能なように取り付けられ、前記第二交換軸が前記交換ブロックを通り抜けて前記第一交換溝の頂壁と前記第二安全接続溝に伸びて、前記第二安全接続溝に前記第二交換軸と固定的に接続する第一円錐形プーリーが設置され、前記第一交換溝が第三交換軸を通じて第一ギアを取り付けて、前記第三交換軸の上端が前記第一交換溝の頂壁に固定的に取り付けられる第一電気回転機械と動力が伝達可能なように接続し、前記交換ブロックに前記第一ギアと係合し接続するリングギアが固定的に設置され、前記第二安全接続溝の右端壁に上下に伸びる第一滑り接続溝が設置され、前記第一滑り接続溝に上下に摺動可能なように接続する滑り接続ブロックが取り付けられ、前記滑り接続ブロックに上下に伸びるロータが係合し取り付けられ、前記ロータの下端が前記第一滑り接続溝の下端壁に回転可能なように取り付けられ、上端が前記第一滑り接続溝の頂壁に固定的に取り付けられる第二電気回転機械と動力が伝達可能なように接続し、前記第二安全接続溝が第四交換軸を通じて前記第一円錐形プーリーと係合し接続する第二円錐形プーリーを設置し、前記第四交換軸が前記滑り接続ブロックに固定的に取り付けられる第三電気回転機械と動力が伝達可能なように接続し、前記交換溝に前記撹拌アームと対応し前記第二交換軸と固定的に接続する接続筒が設置され、前記撹拌アームに左右が連通する第二滑り接続溝が設置され、前記第二滑り接続溝が前記交換溝の間に連通する第一通接溝が設置され、前記第二滑り接続溝に左右に摺動可能なように接続する滑り接続軸が取り付けられ、前記滑り接続軸に左右が連通する第二通接溝が設置され、前記撹拌アームが前記第一交換軸と離れる一端に前記滑り接続軸と固定的に接続する接続板が設置され、前記接続板に上下が連通する口が前記第一交換軸と離れる第四滑り接続溝が設置され、前記第四滑り接続溝に上下が対等に上下に摺動可能なように接続するそぐブロックが取り付けられ、前記第四滑り接続溝が前記第二滑り接続溝の間に第三通接溝が設置され、前記第四滑り接続溝が軸レバーを通じて二つのそぐブロックの間に位置する定滑車を回転可能なように取り付け、二つのそぐブロックが相対する端面に接続ロープが固定的に取り付けられ、前記接続ロープが前記定滑車を迂回し順番に前記第三通接溝を通り抜けて、第二通接溝と第一通接溝が前記接続筒と固定的に接続し、前記交換ブロックにロック装置が設置され、前記第一安全接続溝の頂壁に前記ロック装置と係合する電気接続装置が設置される。
【０００６】
好ましくは前記ロック装置は前記交換ブロックに設置される第一交換筐体と前記第一交換筐体に設置され前記第二交換軸と固定的に接続する第二ギアを含み、前記第一交換筐体が前記第二ギアと離れる端壁に第五滑り接続溝が設置され、前記第五滑り接続溝に鉄片が摺動可能なように接続し取り付けられ、前記鉄片が前記第二ギアに向かう端面に前記第二ギアと係合するロックギアが設置され、前記第五滑り接続溝が前記第二ギアと離れる端壁に前記鉄片と係合する電磁装置が固定的に取り付けられ、前記第五滑り接続溝の上下の端壁に対等に第一導接溝が設置され、前記第一導接溝に前記鉄片と固定的に接続する第一導接ブロックが摺動可能なように接続し取り付けられ、前記第一導接溝に前記第一導接ブロックと接続する第一弾性件が取り付けられる。
【０００７】
前記電気接続装置は前記第一安全接続溝の頂壁に設置される第二交換筐体と前記第二交換筐体に設置され前記第一交換軸と固定的に接続する導電輪を含み、前記第二交換筐体の右端壁に第六滑り接続溝が設置され、前記第六滑り接続溝に第一電気接続ブロックが摺動可能なように接続し取り付けられ、前記第一電気接続ブロックの右端面に前記第六滑り接続溝の右端壁と相殺する第二弾性件が固定的に取り付けられ、前記第二弾性件が前記第一電気接続ブロックを左に押圧し前記導電輪とずっと相殺させ、前記第六滑り接続溝の右端壁の前記第一滑り接続溝の底壁に前記第一電気接続ブロックと電気的に接続する第二電気接続ブロックが固定的に取り付けられ、前記滑り接続ブロックの下端面に商用電源と接続し前記第二電気接続ブロックと係合する電力供給ブロックが固定的に取り付けられる。
【０００８】
好ましくは前記第二滑り接続溝の上下の端壁に対等に第二導接溝が設置され、前記第二導接溝に前記滑り接続軸と固定的に接続する第二導接ブロックが摺動可能なように接続し取り付けられ、前記第二導接溝に前記第二導接ブロックと固定的に接続する第三弾性件が固定的に取り付けられる。
【０００９】
好ましくは前記第四滑り接続溝に上下に対等に第三導接溝が設置され、前記第三導接溝に前記そぐブロックと固定的に接続する第三導接ブロックが摺動可能なように接続し取り付けられ、前記第三導接溝に前記第三導接ブロックと固定的に接続する第四弾性件が固定的に取り付けられる。
【発明の効果】
【００１０】
本発明の有益な効果は、本発明が初期状態の時、前記滑り接続ブロックが前記第一滑り接続溝の頂壁と相殺し、前記電力供給ブロックが前記第二電気連続ブロックと接触せず、前記巻糸輪が前記接続ロープを巻き付け、これにより前記そぐアームを完全に前記第四滑り接続溝に収縮させ、前記接続板が前記かき回すアームと相殺し、前記接続板と前記そぐアームが前記かき回すアームの回転を影響しなく、前記第一弾力件の作用で、前記第一導移ブロックが第二ギアに向かって押圧され前記ロックギアと前記第二ギアを噛み合わせて、これにより前記巻糸輪が安定に前記接続ロープを巻き付ける。
【図面の簡単な説明】
【００１１】
本発明の実施例また既存の技術の中の技術方案をもっと明確に説明するため、下記に実施例また既存の技術の説明の中に使用する必要がある図面に簡単な紹介を行って、一目でわかることは下記の説明の中の図面はただ本発明のいくつかの実施例で、本領域の当業者にとって、創造的な労働を払わないことを前提に、これらの図面に基づいてそのほかの図面を得ることができる。
【００１２】
【図１】図１は本発明の便利なゴム材料装置の構造概略図である。
【図２】図２は図１の中の交換ブロックの拡大構造概略図である。
【図３】図３は図１の中の撹拌アームの拡大構造概略図である。
【図４】図４は図３の中の矢印の方向の構造概略図である。
【図５】図５は図１の中の矢印の方向の構造概略図である。
【発明を実施するための形態】
【００１３】
本明細書に開示した全ての特徴、或いは開示した全ての方法、過程中のステップは、互いに排斥する特徴或いはステップ以外に、いかなる方式で組み合わせることができる。
【００１４】
本明細書に開示した全ての特徴は、特別な記述がない限り、そのほかの同等或いは類似する目的を持つ代替的な特徴に取り替えられる。つまり特別な記述がない限り、全ての特徴はただ一連の同等或いは類似する特徴の中の一つの例だけである。
【００１５】
図１−図５が示すように、本発明に係る便利なゴム材料装置は架体10に固定的に取り付けられるスタッフィングボックス11を含み、前記スタッフィングボックス11に撹拌筐体16が設置され、前記撹拌筐体16の底壁に外部と連通する排泄溝27が設置され、前記排泄溝27にバルブ26が固定的に取り付けられ、前記撹拌筐体16の頂壁に外部と連通するビアホール20が設置され、前記スタッフィングボックス11の頂部端面に前記ビアホール20と連通するホッパー201が固定的に設置され、前記ホッパー201の頂部カバーにエンドキャップ202が設置され、前記撹拌筐体16の頂壁に第一安全接続溝17と前記第一安全接続溝17の上方に位置する第二安全接続溝24が設置され、前記第一安全接続溝17の底壁に上下に伸びる第一交換軸14が回転可能なように取り付けられ、前記第一交換軸14の上端が前記第一安全接続溝24に伸びて交換ブロック18が固定的に取り付けられ、下端が前記撹拌筐体16に伸びて上下に交錯し撹拌アーム15が取り付けられ、前記第一交換軸14に上下が連通する交換溝13が設置され、前記交換溝13がベアリングを通じて上下に伸びる第二交換軸21が回転可能なように取り付けられ、前記第二交換軸21が前記交換ブロック18を通り抜けて前記第一交換溝17の頂壁と前記第二安全接続溝24に伸びて、前記第二安全接続溝24に前記第二交換軸21と固定的に接続する第一円錐形プーリー39が設置され、前記第一交換溝17が第三交換軸23を通じて第一ギア25を取り付けて、前記第三交換軸23の上端が前記第一交換溝17の頂壁に固定的に取り付けられる第一電気回転機械22と動力が伝達可能なように接続し、前記交換ブロック18に前記第一ギア25と係合し接続するリングギア19が固定的に設置され、前記第二安全接続溝24の右端壁に上下に伸びる第一滑り接続溝31が設置され、前記第一滑り接続溝31に上下に摺動可能なように接続する滑り接続ブロック33が取り付けられ、前記滑り接続ブロック33に上下に伸びるロータ32が係合し取り付けられ、前記ロータ32の下端が前記第一滑り接続溝31の下端壁に回転可能なように取り付けられ、上端が前記第一滑り接続溝31の頂壁に固定的に取り付けられる第二電気回転機械34と動力が伝達可能なように接続し、前記第二安全接続溝24が第四交換軸36を通じて前記第一円錐形プーリー39と係合し接続する第二円錐形プーリー37を設置し、前記第四交換軸36が前記滑り接続ブロック33に固定的に取り付けられる第三電気回転機械35と動力が伝達可能なように接続し、前記交換溝13に前記撹拌アーム15と対応し前記第二交換軸21と固定的に接続する接続筒12が設置され、前記撹拌アーム15に左右が連通する第二滑り接続溝50が設置され、前記第二滑り接続溝50が前記交換溝13の間に連通する第一通接溝49が設置され、前記第二滑り接続溝50に左右に摺動可能なように接続する滑り接続軸63が取り付けられ、前記滑り接続軸63に左右が連通する第二通接溝51が設置され、前記撹拌アーム15が前記第一交換軸14と離れる一端に前記滑り接続軸63と固定的に接続する接続板58が設置され、前記接続板58に上下が連通する口が前記第一交換軸14と離れる第四滑り接続溝52が設置され、前記第四滑り接続溝52に上下が対等に上下に摺動可能なように接続するそぐブロック64が取り付けられ、前記第四滑り接続溝52が前記第二滑り接続溝50の間に第三通接溝が設置され、前記第四滑り接続溝52が軸レバー59を通じて二つのそぐブロック64の間に位置する定滑車53を回転可能なように取り付け、二つのそぐブロック64が相対する端面に接続ロープ57が固定的に取り付けられ、前記接続ロープ57が前記定滑車53を迂回し順番に前記第三通接溝を通り抜けて、第二通接溝51と第一通接溝49が前記接続筒12と固定的に接続し、前記交換ブロック18にロック装置が設置され、前記第一安全接続溝17の頂壁に前記ロック装置と係合する電気接続装置が設置される。
【００１６】
好ましくは前記ロック装置は前記交換ブロック18に設置される第一交換筐体40と前記第一交換筐体40に設置され前記第二交換軸21と固定的に接続する第二ギア42を含み、前記第一交換筐体40が前記第二ギア42と離れる端壁に第五滑り接続溝47が設置され、前記第五滑り接続溝47に鉄片43が摺動可能なように接続し取り付けられ、前記鉄片43が前記第二ギア42に向かう端面に前記第二ギア42と係合するロックギアが設置され、前記第五滑り接続溝47が前記第二ギア42と離れる端壁に前記鉄片43と係合する電磁装置48が固定的に取り付けられ、前記第五滑り接続溝47の上下の端壁に対等に第一導接溝46が設置され、前記第一導接溝46に前記鉄片43と固定的に接続する第一導接ブロック44が摺動可能なように接続し取り付けられ、前記第一導接溝46に前記第一導接ブロック44と接続する第一弾性件45が取り付けられ、前記第一弾性件45が前記第一導接ブロック44を前記第二ギア42に向かって押圧し前記ロックギアを前記第二ギア42と噛み合わせる。
【００１７】
好ましくは前記電気接続装置は前記第一安全接続溝26の頂壁に設置される第二交換筐体40と前記第二交換筐体40に設置され前記第一交換軸21と固定的に接続する導電輪41を含み、前記第二交換筐体40の右端壁に第六滑り接続溝29が設置され、前記第六滑り接続溝29に第一電気接続ブロック27が摺動可能なように接続し取り付けられ、前記第一電気接続ブロック27の右端面に前記第六滑り接続溝29の右端壁と相殺する第二弾性件28が固定的に取り付けられ、前記第二弾性件28が前記第一電気接続ブロック27を左に押圧し前記導電輪41とずっと相殺させ、前記第六滑り接続溝29の右端壁の前記第一滑り接続溝31の底壁に前記第一電気接続ブロック27と電気的に接続する第二電気接続ブロック30が固定的に取り付けられ、前記滑り接続ブロック33の下端面に商用電源と接続し前記第二電気接続ブロック30と係合する電力供給ブロック38が固定的に取り付けられ、これにより前記電力供給ブロック38が前記第二電気接続ブロック30と相殺する時に、前記電磁装置48に電力を供給する。
【００１８】
好ましくは前記第二滑り接続溝50の上下の端壁に対等に第二導接溝54が設置され、前記第二導接溝54に前記滑り接続軸63と固定的に接続する第二導接ブロック55が摺動可能なように接続し取り付けられ、前記第二導接溝54に前記第二導接ブロック55と固定的に接続する第三弾性件56が固定的に取り付けられ、前記第三弾性件56が前記第二導接ブロック55を前記接続筒12と離れて押圧する。
【００１９】
好ましくは前記第四滑り接続溝52に上下に対等に第三導接溝62が設置され、前記第三導接溝62に前記そぐブロック64と固定的に接続する第三導接ブロック61が摺動可能なように接続し取り付けられ、前記第三導接溝62に前記第三導接ブロック61と固定的に接続する第四弾性件60が固定的に取り付けられ、前記第四弾性件60が前記第三導接ブロック61を前記定滑車53と離れて押圧する。
【００２０】
使用する時、前記バルブ26を閉めて、前記ビアホール20からゴム助剤と触媒を前記撹拌筐体16に加え、その後に前記第一電気回転機械22を起動し、前記第一電気回転機械22が前記第一ギア25を通じて前記交換ブロック18を回転可能なように駆動し、前記交換ブロック18が前記第一交換軸14と連動して回転可能なように、前記第一交換軸14が前記撹拌アーム15と連動して回転可能なようにゴム助剤と触媒をかき混ぜて、ゴム助剤と触媒が混合された後、バルブ26を開けて、ゴム助剤混合物が前記排泄溝27から流れ出て、全部のゴム助剤混合物が流れ出た後、前記バルブ26を閉めて、前記ビアホール20に洗浄液を加え、その後に前記第二電気回転機械34を起動し、前記第二電気回転機械34が前記ロータ32を通じて前記滑り接続ブロック33を駆動し下にスライドし、前記電力供給ブロック38が前記第二電気接続ブロック30と相殺する時、前記電磁装置48に電力を供給し前記鉄片43に作用し、これにより前記ロックギアを前記第二ギア42と離れて噛み合わせて、この時に前記第二円錐形プーリー37が前記第一円錐形プーリー39と噛み合って、その後に第三電気回転機械35を起動し、前記第三電気回転機械35が前記第二交換軸21を回転可能なように駆動し前記接続筒12と連動して前記接続ロープ57を巻戻し、前記第三弾性件56と第四弾性件60の作用のもとで、前記接続板58と前記そぐブロック64が前記撹拌筐体16の内壁と張り合わせて、ブロック64が上下に伸びて、その後に逆に前記第二電気回転機械34を起動し、前記第二電気回転機械34が前記ロータ32を通じて前記滑り接続ブロック33を駆動し上にスライドし前記第二円錐形プーリー37が前記第一円錐形プーリー39と離れて噛み合わせて、前記電力供給ブロック38が前記第二電気接続ブロック30と離れて相殺させ、その後に前記第一電気回転機械22を起動し、前記第一電気回転機械22が前記第一交換軸14を回転可能なように駆動し、前記第一交換軸14が前記接続板58と前記そぐブロック54と連動して前記撹拌筐体16の内壁を清掃し、清掃した後の廃水は前記排泄溝27より排出する。
【００２１】
本発明の有益な効果は、本発明が初期状態の時、前記滑り接続ブロックが前記第一滑り接続溝の頂壁と相殺し、前記電力供給ブロックが前記第二電気連続ブロックと接触せず、前記巻糸輪が前記接続ロープを巻き付け、これにより前記そぐアームを完全に前記第四滑り接続溝に収縮させ、前記接続板が前記かき回すアームと相殺し、前記接続板と前記そぐアームが前記かき回すアームの回転を影響しなく、前記第一弾力件の作用で、前記第一導移ブロックが第二ギアに向かって押圧され前記ロックギアと前記第二ギアを噛み合わせて、これにより前記巻糸輪が安定に前記接続ロープを巻き付ける。
【００２２】
本発明を使用する時、前記バルブを閉めて、前記ビアホールからゴム助剤と触媒を前記撹拌筐体に加え、その後に前記第一電気回転機械を起動し、前記第一電気回転機械が前記第一ギアを通じて前記交換ブロックを回転可能なように駆動し、前記交換ブロックが前記第一交換軸と連動して回転可能にし、前記第一交換軸が前記撹拌アームと連動して回転可能にし、ゴム助剤と触媒をかき混ぜて、ゴム助剤と触媒が混合された後、バルブを開けて、ゴム助剤混合物が前記排泄溝から流れ出る。
【００２３】
全部のゴム助剤混合物が流れ出た後、前記バルブを閉めて、前記ビアホールに洗浄液を加え、その後に前記第二電気回転機械を起動し、前記第二電気回転機械が前記ロータを通じて前記滑り接続ブロックを駆動し下にスライドし、前記電力供給ブロックが前記第二電気接続ブロックと相殺する時、前記電磁装置に電力を供給し前記鉄片に作用し、これにより前記ロックギアを前記第二ギアと離れて噛み合わせて、この時に前記第二円錐形プーリーが前記第一円錐形プーリーと噛み合って、その後に第三電気回転機械を起動し、前記第三電気回転機械が前記第二交換軸を回転可能なように駆動し前記接続筒と連動して前記接続ロープを巻戻し、前記第三弾性件と第四弾性件の作用のもとで、前記接続板と前記そぐブロックが前記撹拌筐体の内壁と張り合わせて、ブロックが上下に伸びて、その後に逆に前記第二電気回転機械を起動し、前記第二電気回転機械が前記ロータを通じて前記滑り接続ブロックを駆動し上にスライドし前記第二円錐形プーリーが前記第一円錐形プーリーと離れて噛み合わせて、前記電力供給ブロックが前記第二電気接続ブロックと離れて相殺させ、その後に前記第一電気回転機械を起動し、前記第一電気回転機械が前記第一交換軸を回転可能なように駆動し、前記第一交換軸が前記接続板と前記そぐブロックと連動して前記撹拌筐体の内壁を清掃し、清掃した後の廃水は前記排泄溝より排出する。
【００２４】
本発明は構造が簡単で、撹拌筐体の内壁を清掃することが便利で、清掃効果が良い。
【００２５】
以上に本発明の基本原理、主な特徴と本発明の長所を表明し説明した。本業界の技術者が了解すべきなのは本発明は上記の実施例の制限を受けなく、上記の実施例と説明書に説明したのは本発明の原理で、本発明の意義と原理から離れない前提に本発明に各種の変化と改善があり、これらの変化と改善が本発明の保護範囲にある。本発明の保護範囲は添付の特許請求の範囲と同等内容に画定される。
【図１】
2019171355.tif 000003
【図２】
2019171355.tif 000004
【図３】
2019171355.tif 000005
【図４】
2019171355.tif 000006
【図５】
2019171355.tif 000007
【手続補正書】
【提出日】令和1年7月15日(2019.7.15)
【手続補正１】
【補正対象書類名】特許請求の範囲
【補正対象項目名】全文
【補正方法】変更
【補正の内容】
【特許請求の範囲】
【請求項１】
ゴム材料攪拌加工装置であって、架体に固定的に取り付けられるスタッフィングボックスを含み、前記スタッフィングボックスに撹拌筐体が設置され、前記撹拌筐体の底壁に外部と連通する排泄溝が設置され、前記排泄溝にバルブが固定的に取り付けられ、前記撹拌筐体の頂壁に外部と連通するビアホールが設置され、前記スタッフィングボックスの頂部端面に前記ビアホールと連通するホッパーが固定的に設置され、前記ホッパーの頂部カバーにエンドキャップが設置され、前記撹拌筐体の頂壁に第一安全接続溝と前記第一安全接続溝の上方に位置する第二安全接続溝が設置され、前記第一安全接続溝の底壁に上下に伸びる第一交換軸が回転可能なように取り付けられ、前記第一交換軸の上端が前記第一安全接続溝に伸びて交換ブロックが固定的に取り付けられ、下端が前記撹拌筐体に伸びて上下に交錯し撹拌アームが取り付けられ、前記第一交換軸に上下が連通する交換溝が設置され、前記交換溝の中には上下に伸びる第二交換軸がベアリングによって回転できるように取り付けられ、前記第二交換軸の上端が前記第二安全接続溝に伸びて、前記第二安全接続溝に前記第二交換軸と固定的に接続する第一円錐形プーリーが設置され、前記第一安全接続溝が第三交換軸を通じて第一ギアを取り付けて、前記第三交換軸の上端が前記第一安全接続溝の頂壁に固定的に取り付けられる第一電気回転機械と動力が伝達可能なように接続し、前記交換ブロックに前記第一ギアと係合し接続するリングギアが固定的に設置され、前記第二安全接続溝の右端壁に上下に伸びる第一滑り接続溝が設置され、前記第一滑り接続溝に上下に摺動可能なように接続する滑り接続ブロックが取り付けられ、前記滑り接続ブロックに上下に伸びるロータが係合し取り付けられ、前記ロータの下端が前記第一滑り接続溝の下端壁に回転可能なように取り付けられ、上端が前記第一滑り接続溝の頂壁に固定的に取り付けられる第二電気回転機械と動力が伝達可能なように接続し、前記第二安全接続溝の中には第四交換軸の左端に位置し、且つ前記第一円錐形プーリーと噛合できる第二円錐形プーリーが設置され、前記第四交換軸が前記滑り接続ブロックに固定的に取り付けられる第三電気回転機械と動力が伝達可能なように接続し、前記交換溝に前記撹拌アームと対応し前記第二交換軸と固定的に接続する接続筒が設置され、前記撹拌アームに左右が連通する第二滑り接続溝が設置され、前記第二滑り接続溝が前記交換溝の間に連通する第一通接溝が設置され、前記第二滑り接続溝に左右に摺動可能なように接続する滑り接続軸が取り付けられ、前記滑り接続軸に左右が連通する第二通接溝が設置され、前記撹拌アームが前記第一交換軸と離れる一端に前記滑り接続軸と固定的に接続する接続板が設置され、前記接続板には上下に連通している第四滑り接続溝が設置され、前記第四滑り接続溝の口が前記第一交換軸から離れており、前記第四滑り接続溝に上下が対等に上下に摺動可能なように接続するクリーニングブロックが取り付けられ、前記第四滑り接続溝と前記第二滑り接続溝との間には第三通接溝が設置され、前記第四滑り接続溝が軸レバーを通じて二つのクリーニングブロックの間に位置する定滑車を回転可能なように取り付け、二つのクリーニングブロックが相対する端面に接続ロープが固定的に取り付けられ、前記接続ロープが前記定滑車を迂回し順番に前記第三通接溝を通り抜けて、第二通接溝と第一通接溝が前記接続筒と固定的に接続し、前記交換ブロックにロック装置が設置され、前記第一安全接続溝の上側内壁の中には前記ロック装置と係合する電気接続装置が設置され、前記ロック装置は前記交換ブロックに設置される第一空きチャンバと前記第一空きチャンバに設置され前記第二交換軸と固定的に接続する第二ギアを含み、前記第一空きチャンバが前記第二ギアと離れる端壁に第五滑り接続溝が設置され、前記第五滑り接続溝に鉄片が摺動可能なように接続し取り付けられ、前記鉄片が前記第二ギアに向かう端面に前記第二ギアと係合するロックギアが設置され、前記第五滑り接続溝が前記第二ギアと離れる端壁に前記鉄片と係合する電磁石が固定的に取り付けられ、前記第五滑り接続溝の上下の端壁に対等に第一導接溝が設置され、前記第一導接溝に前記鉄片と固定的に接続する第一導接ブロックが摺動可能なように接続し取り付けられ、前記第一導接溝に前記第一導接ブロックと接続する第一バネが取り付けられ、前記電気接続装置は前記第一安全接続溝の頂壁に設置される第二交換筐体と前記第二交換筐体に設置され前記第一交換軸と固定的に接続する導電輪を含み、前記第二交換筐体の右端壁に第六滑り接続溝が設置され、前記第六滑り接続溝に第一電気接続ブロックが摺動可能なように接続し取り付けられ、前記第一電気接続ブロックの右側端面と前記第五滑り接続溝の右側内壁との間には第二バネが連結され、前記第一滑り接続溝の底壁には前記第一電気接続ブロックと通電できるように連結された第二電気接続ブロックが固定的に取り付けられ、前記滑り接続ブロックの下端面に商用電源と接続し前記第二電気接続ブロックと係合する電力供給ブロックが固定的に取り付けられ、前記第二滑り接続溝の上下の端壁に対等に第二導接溝が設置され、前記第二導接溝に前記滑り接続軸と固定的に接続する第二導接ブロックが摺動可能なように接続し取り付けられ、前記第二導接溝に前記第二導接ブロックと固定的に接続する第三バネが固定的に取り付けられ、前記第四滑り接続溝に上下に対等に第三導接溝が設置され、前記第三導接溝に前記クリーニングブロックと固定的に接続する第三導接ブロックが摺動可能なように接続し取り付けられ、前記第三導接溝に前記第三導接ブロックと固定的に接続する第四バネが固定的に取り付けられることを特徴とするゴム材料攪拌加工装置。
【手続補正２】
【補正対象書類名】明細書
【補正対象項目名】全文
【補正方法】変更
【補正の内容】
【発明の詳細な説明】
【技術分野】
【０００１】
本発明は新材料技術分野に関し、具体的にはゴム材料攪拌加工装置に関する。
【背景技術】
【０００２】
ゴム材料は現代工業に広く使われる新型材料であり、ゴム材料を加工生産する過程に攪拌装置を使って触媒とゴム助剤を急速に融合させ使用反応時間を短縮する必要があり、しかし伝統的なゴム助剤設備の設定モードは単一で、使用した後に清掃しにくく、設備の内壁に多くの殘留物が残され、二回目に使用する際に深刻な影響がある。
【先行技術文献】
【特許文献】
【０００３】
【特許文献１】中国特許出願公開第１０６５５２６８７号明細書
【発明の概要】
【発明が解決しようとする課題】
【０００４】
上記の技術の不足に対して、本発明はゴム材料攪拌加工装置を提供した。
【課題を解決するための手段】
【０００５】
本発明に係るゴム材料攪拌加工装置は、架体に固定的に取り付けられるスタッフィングボックスを含み、前記スタッフィングボックスに撹拌筐体が設置され、前記撹拌筐体の底壁に外部と連通する排泄溝が設置され、前記排泄溝にバルブが固定的に取り付けられ、前記撹拌筐体の頂壁に外部と連通するビアホールが設置され、前記スタッフィングボックスの頂部端面に前記ビアホールと連通するホッパーが固定的に設置され、前記ホッパーの頂部カバーにエンドキャップが設置され、前記撹拌筐体の頂壁に第一安全接続溝と前記第一安全接続溝の上方に位置する第二安全接続溝が設置され、前記第一安全接続溝の底壁に上下に伸びる第一交換軸が回転可能なように取り付けられ、前記第一交換軸の上端が前記第一安全接続溝に伸びて交換ブロックが固定的に取り付けられ、下端が前記撹拌筐体に伸びて上下に交錯し撹拌アームが取り付けられ、前記第一交換軸に上下が連通する交換溝が設置され、前記交換溝の中には上下に伸びる第二交換軸がベアリングによって回転できるように取り付けられ、前記第二交換軸の上端が前記第二安全接続溝に伸びて、前記第二安全接続溝に前記第二交換軸と固定的に接続する第一円錐形プーリーが設置され、前記第一安全接続溝が第三交換軸を通じて第一ギアを取り付けて、前記第三交換軸の上端が前記第一安全接続溝の頂壁に固定的に取り付けられる第一電気回転機械と動力が伝達可能なように接続し、前記交換ブロックに前記第一ギアと係合し接続するリングギアが固定的に設置され、前記第二安全接続溝の右端壁に上下に伸びる第一滑り接続溝が設置され、前記第一滑り接続溝に上下に摺動可能なように接続する滑り接続ブロックが取り付けられ、前記滑り接続ブロックに上下に伸びるロータが係合し取り付けられ、前記ロータの下端が前記第一滑り接続溝の下端壁に回転可能なように取り付けられ、上端が前記第一滑り接続溝の頂壁に固定的に取り付けられる第二電気回転機械と動力が伝達可能なように接続し、前記第二安全接続溝の中には第四交換軸の左端に位置し、且つ前記第一円錐形プーリーと噛合できる第二円錐形プーリーが設置され、前記第四交換軸が前記滑り接続ブロックに固定的に取り付けられる第三電気回転機械と動力が伝達可能なように接続し、前記交換溝に前記撹拌アームと対応し前記第二交換軸と固定的に接続する接続筒が設置され、前記撹拌アームに左右が連通する第二滑り接続溝が設置され、前記第二滑り接続溝が前記交換溝の間に連通する第一通接溝が設置され、前記第二滑り接続溝に左右に摺動可能なように接続する滑り接続軸が取り付けられ、前記滑り接続軸に左右が連通する第二通接溝が設置され、前記撹拌アームが前記第一交換軸と離れる一端に前記滑り接続軸と固定的に接続する接続板が設置され、前記接続板には上下に連通している第四滑り接続溝が設置され、前記第四滑り接続溝の口が前記第一交換軸から離れており、前記第四滑り接続溝に上下が対等に上下に摺動可能なように接続するクリーニングブロックが取り付けられ、前記第四滑り接続溝と前記第二滑り接続溝との間には第三通接溝が設置され、前記第四滑り接続溝が軸レバーを通じて二つのクリーニングブロックの間に位置する定滑車を回転可能なように取り付け、二つのクリーニングブロックが相対する端面に接続ロープが固定的に取り付けられ、前記接続ロープが前記定滑車を迂回し順番に前記第三通接溝を通り抜けて、第二通接溝と第一通接溝が前記接続筒と固定的に接続し、前記交換ブロックにロック装置が設置され、前記第一安全接続溝の上側内壁の中には前記ロック装置と係合する電気接続装置が設置されている。
【０００６】
好ましくは前記ロック装置は前記交換ブロックに設置される第一空きチャンバと前記第一空きチャンバに設置され前記第二交換軸と固定的に接続する第二ギアを含み、前記第一空きチャンバが前記第二ギアと離れる端壁に第五滑り接続溝が設置され、前記第五滑り接続溝に鉄片が摺動可能なように接続し取り付けられ、前記鉄片が前記第二ギアに向かう端面に前記第二ギアと係合するロックギアが設置され、前記第五滑り接続溝が前記第二ギアと離れる端壁に前記鉄片と係合する電磁石が固定的に取り付けられ、前記第五滑り接続溝の上下の端壁に対等に第一導接溝が設置され、前記第一導接溝に前記鉄片と固定的に接続する第一導接ブロックが摺動可能なように接続し取り付けられ、前記第一導接溝に前記第一導接ブロックと接続する第一バネが取り付けられる。
【０００７】
前記電気接続装置は前記第一安全接続溝の頂壁に設置される第二交換筐体と前記第二交換筐体に設置され前記第一交換軸と固定的に接続する導電輪を含み、前記第二交換筐体の右端壁に第六滑り接続溝が設置され、前記第六滑り接続溝に第一電気接続ブロックが摺動可能なように接続し取り付けられ、前記第一電気接続ブロックの右側端面と前記第五滑り接続溝の右側内壁との間には第二バネが連結され、前記第一滑り接続溝の底壁には前記第一電気接続ブロックと通電できるように連結された第二電気接続ブロックが固定的に取り付けられ、前記滑り接続ブロックの下端面に商用電源と接続し前記第二電気接続ブロックと係合する電力供給ブロックが固定的に取り付けられる。
【０００８】
好ましくは前記第二滑り接続溝の上下の端壁に対等に第二導接溝が設置され、前記第二導接溝に前記滑り接続軸と固定的に接続する第二導接ブロックが摺動可能なように接続し取り付けられ、前記第二導接溝に前記第二導接ブロックと固定的に接続する第三バネが固定的に取り付けられる。
【０００９】
好ましくは前記第四滑り接続溝に上下に対等に第三導接溝が設置され、前記第三導接溝に前記クリーニングブロックと固定的に接続する第三導接ブロックが摺動可能なように接続し取り付けられ、前記第三導接溝に前記第三導接ブロックと固定的に接続する第四バネが固定的に取り付けられる。
【発明の効果】
【００１０】
本発明の有益な効果は、本発明が初期状態の時、前記滑り接続ブロックが前記第一滑り接続溝の頂壁と相殺し、前記電力供給ブロックが前記第二電気連続ブロックと接触せず、前記巻糸輪が前記接続ロープを巻き付け、これにより前記そぐアームを完全に前記第四滑り接続溝に収縮させ、前記接続板が前記かき回すアームと相殺し、前記接続板と前記そぐアームが前記かき回すアームの回転を影響しなく、前記第一弾力件の作用で、前記第一導移ブロックが第二ギアに向かって押圧され前記ロックギアと前記第二ギアを噛み合わせて、これにより前記巻糸輪が安定に前記接続ロープを巻き付ける。
【図面の簡単な説明】
【００１１】
本発明の実施例また既存の技術の中の技術方案をもっと明確に説明するため、下記に実施例また既存の技術の説明の中に使用する必要がある図面に簡単な紹介を行って、一目でわかることは下記の説明の中の図面はただ本発明のいくつかの実施例で、本領域の当業者にとって、創造的な労働を払わないことを前提に、これらの図面に基づいてそのほかの図面を得ることができる。
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明のゴム材料攪拌加工装置の構造概略図である。
【図２】図２は図１の中の交換ブロックの拡大構造概略図である。
【図３】図３は図１の中の撹拌アームの拡大構造概略図である。
【図４】図４は図３の中の矢印の方向の構造概略図である。
【図５】図５は図１の中の矢印の方向の構造概略図である。
【発明を実施するための形態】
【００１３】
本明細書に開示した全ての特徴、或いは開示した全ての方法、過程中のステップは、互いに排斥する特徴或いはステップ以外に、いかなる方式で組み合わせることができる。
【００１４】
本明細書に開示した全ての特徴は、特別な記述がない限り、そのほかの同等或いは類似する目的を持つ代替的な特徴に取り替えられる。つまり特別な記述がない限り、全ての特徴はただ一連の同等或いは類似する特徴の中の一つの例だけである。
【００１５】
図１−図５が示すように、本発明に係るゴム材料攪拌加工装置は架体１０に固定的に取り付けられるスタッフィングボックス１１を含み、前記スタッフィングボックス１１に撹拌筐体１６が設置され、前記撹拌筐体１６の底壁に外部と連通する排泄溝２７が設置され、前記排泄溝２７にバルブ２６が固定的に取り付けられ、前記撹拌筐体１６の頂壁に外部と連通するビアホール２０が設置され、前記スタッフィングボックス１１の頂部端面に前記ビアホール２０と連通するホッパー２０１が固定的に設置され、前記ホッパー２０１の頂部カバーにエンドキャップ２０２が設置され、前記撹拌筐体１６の頂壁に第一安全接続溝１７と前記第一安全接続溝１７の上方に位置する第二安全接続溝２４が設置され、前記第一安全接続溝１７の底壁に上下に伸びる第一交換軸１４が回転可能なように取り付けられ、前記第一交換軸１４の上端が前記第一安全接続溝２４に伸びて交換ブロック１８が固定的に取り付けられ、下端が前記撹拌筐体１６に伸びて上下に交錯し撹拌アーム１５が取り付けられ、前記第一交換軸１４に上下が連通する交換溝１３が設置され、前記交換溝１３の中には上下に伸びる第二交換軸２１がベアリングによって回転できるように取り付けられ、前記第二交換軸２１の上端が前記第二安全接続溝２４に伸びて、前記第二安全接続溝２４に前記第二交換軸２１と固定的に接続する第一円錐形プーリー３９が設置され、前記第一安全接続溝１７が第三交換軸２３を通じて第一ギア２５を取り付けて、前記第三交換軸２３の上端が前記第一安全接続溝１７の頂壁に固定的に取り付けられる第一電気回転機械２２と動力が伝達可能なように接続し、前記交換ブロック１８に前記第一ギア２５と係合し接続するリングギア１９が固定的に設置され、前記第二安全接続溝２４の右端壁に上下に伸びる第一滑り接続溝３１が設置され、前記第一滑り接続溝３１に上下に摺動可能なように接続する滑り接続ブロック３３が取り付けられ、前記滑り接続ブロック３３に上下に伸びるロータ３２が係合し取り付けられ、前記ロータ３２の下端が前記第一滑り接続溝３１の下端壁に回転可能なように取り付けられ、上端が前記第一滑り接続溝３１の頂壁に固定的に取り付けられる第二電気回転機械３４と動力が伝達可能なように接続し、前記第二安全接続溝２４の中には第四交換軸３６の左端に位置し、且つ前記第一円錐形プーリー３９と噛合できる第二円錐形プーリー３７が設置され、前記第四交換軸３６が前記滑り接続ブロック３３に固定的に取り付けられる第三電気回転機械３５と動力が伝達可能なように接続し、前記交換溝１３に前記撹拌アーム１５と対応し前記第二交換軸２１と固定的に接続する接続筒１２が設置され、前記撹拌アーム１５に左右が連通する第二滑り接続溝５０が設置され、前記第二滑り接続溝５０が前記交換溝１３の間に連通する第一通接溝４９が設置され、前記第二滑り接続溝５０に左右に摺動可能なように接続する滑り接続軸６３が取り付けられ、前記滑り接続軸６３に左右が連通する第二通接溝５１が設置され、前記撹拌アーム１５が前記第一交換軸１４と離れる一端に前記滑り接続軸６３と固定的に接続する接続板５８が設置され、前記接続板５８には上下に連通している第四滑り接続溝５２が設置され、前記第四滑り接続溝５２の口が前記第一交換軸１４から離れており、前記第四滑り接続溝５２に上下が対等に上下に摺動可能なように接続するクリーニングブロック６４が取り付けられ、前記第四滑り接続溝５２と前記第二滑り接続溝５０との間には第三通接溝が設置され、前記第四滑り接続溝５２が軸レバー５９を通じて二つのクリーニングブロック６４の間に位置する定滑車５３を回転可能なように取り付け、二つのクリーニングブロック６４が相対する端面に接続ロープ５７が固定的に取り付けられ、前記接続ロープ５７が前記定滑車５３を迂回し順番に前記第三通接溝を通り抜けて、第二通接溝５１と第一通接溝４９が前記接続筒１２と固定的に接続し、前記交換ブロック１８にロック装置が設置され、前記第一安全接続溝１７の上側内壁の中には前記ロック装置と係合する電気接続装置が設置されている。
【００１６】
好ましくは前記ロック装置は前記交換ブロック１８に設置される第一空きチャンバ６５と前記第一空きチャンバ６５に設置され前記第二交換軸２１と固定的に接続する第二ギア４２を含み、前記第一空きチャンバ６５が前記第二ギア４２と離れる端壁に第五滑り接続溝４７が設置され、前記第五滑り接続溝４７に鉄片４３が摺動可能なように接続し取り付けられ、前記鉄片４３が前記第二ギア４２に向かう端面に前記第二ギア４２と係合するロックギアが設置され、前記第五滑り接続溝４７が前記第二ギア４２と離れる端壁に前記鉄片４３と係合する電磁石４８が固定的に取り付けられ、前記第五滑り接続溝４７の上下の端壁に対等に第一導接溝４６が設置され、前記第一導接溝４６に前記鉄片４３と固定的に接続する第一導接ブロック４４が摺動可能なように接続し取り付けられ、前記第一導接溝４６に前記第一導接ブロック４４と接続する第一バネ４５が取り付けられ、前記第一バネ４５が前記第一導接ブロック４４を前記第二ギア４２に向かって押圧し前記ロックギアを前記第二ギア４２と噛み合わせる。
【００１７】
好ましくは前記電気接続装置は前記第一安全接続溝２６の頂壁に設置される第二交換筐体４０と前記第二交換筐体４０に設置され前記第一交換軸２１と固定的に接続する導電輪４１を含み、前記第二交換筐体４０の右端壁に第六滑り接続溝２９が設置され、前記第六滑り接続溝２９に第一電気接続ブロック２７が摺動可能なように接続し取り付けられ、前記第一電気接続ブロック２７の右側端面と前記第五滑り接続溝２９の右側内壁との間には第二バネ２８が連結され、前記第一滑り接続溝３１の底壁には前記第一電気接続ブロック２７と通電できるように連結された第二電気接続ブロック３０が固定的に取り付けられ、前記滑り接続ブロック３３の下端面に商用電源と接続し前記第二電気接続ブロック３０と係合する電力供給ブロック３８が固定的に取り付けられ、これにより前記電力供給ブロック３８が前記第二電気接続ブロック３０と相殺する時に、前記電磁石４８に電力を供給する。
【００１８】
好ましくは前記第二滑り接続溝５０の上下の端壁に対等に第二導接溝５４が設置され、前記第二導接溝５４に前記滑り接続軸６３と固定的に接続する第二導接ブロック５５が摺動可能なように接続し取り付けられ、前記第二導接溝５４に前記第二導接ブロック５５と固定的に接続する第三バネ５６が固定的に取り付けられ、前記第三バネ５６が前記第二導接ブロック５５を前記接続筒１２と離れて押圧する。
【００１９】
好ましくは前記第四滑り接続溝５２に上下に対等に第三導接溝６２が設置され、前記第三導接溝６２に前記クリーニングブロック６４と固定的に接続する第三導接ブロック６１が摺動可能なように接続し取り付けられ、前記第三導接溝６２に前記第三導接ブロック６１と固定的に接続する第四バネ６０が固定的に取り付けられ、前記第四バネ６０が前記第三導接ブロック６１を前記定滑車５３と離れて押圧する。
【００２０】
使用する時、前記バルブ２６を閉めて、前記ビアホール２０からゴム助剤と触媒を前記撹拌筐体１６に加え、その後に前記第一電気回転機械２２を起動し、前記第一電気回転機械２２が前記第一ギア２５を通じて前記交換ブロック１８を回転可能なように駆動し、前記交換ブロック１８が前記第一交換軸１４と連動して回転可能なように、前記第一交換軸１４が前記撹拌アーム１５と連動して回転可能なようにゴム助剤と触媒をかき混ぜて、ゴム助剤と触媒が混合された後、バルブ２６を開けて、ゴム助剤混合物が前記排泄溝２７から流れ出て、全部のゴム助剤混合物が流れ出た後、前記バルブ２６を閉めて、前記ビアホール２０に洗浄液を加え、その後に前記第二電気回転機械３４を起動し、前記第二電気回転機械３４が前記ロータ３２を通じて前記滑り接続ブロック３３を駆動し下にスライドし、前記電力供給ブロック３８が前記第二電気接続ブロック３０と相殺する時、前記電磁石４８に電力を供給し前記鉄片４３に作用し、これにより前記ロックギアを前記第二ギア４２と離れて噛み合わせて、この時に前記第二円錐形プーリー３７が前記第一円錐形プーリー３９と噛み合って、その後に第三電気回転機械３５を起動し、前記第三電気回転機械３５が前記第二交換軸２１を回転可能なように駆動し前記接続筒１２と連動して前記接続ロープ５７を巻戻し、前記第三バネ５６と第四バネ６０の作用のもとで、前記接続板５８と前記クリーニングブロック６４が前記撹拌筐体１６の内壁と張り合わせて、ブロック６４が上下に伸びて、その後に逆に前記第二電気回転機械３４を起動し、前記第二電気回転機械３４が前記ロータ３２を通じて前記滑り接続ブロック３３を駆動し上にスライドし前記第二円錐形プーリー３７が前記第一円錐形プーリー３９と離れて噛み合わせて、前記電力供給ブロック３８が前記第二電気接続ブロック３０と離れて相殺させ、その後に前記第一電気回転機械２２を起動し、前記第一電気回転機械２２が前記第一交換軸１４を回転可能なように駆動し、前記第一交換軸１４が前記接続板５８と前記クリーニングブロック５４と連動して前記撹拌筐体１６の内壁を清掃し、清掃した後の廃水は前記排泄溝２７より排出する。
【００２１】
本発明の有益な効果は、本発明が初期状態の時、前記滑り接続ブロックが前記第一滑り接続溝の頂壁と相殺し、前記電力供給ブロックが前記第二電気連続ブロックと接触せず、前記巻糸輪が前記接続ロープを巻き付け、これにより前記そぐアームを完全に前記第四滑り接続溝に収縮させ、前記接続板が前記かき回すアームと相殺し、前記接続板と前記そぐアームが前記かき回すアームの回転を影響しなく、前記第一弾力件の作用で、前記第一導移ブロックが第二ギアに向かって押圧され前記ロックギアと前記第二ギアを噛み合わせて、これにより前記巻糸輪が安定に前記接続ロープを巻き付ける。
【００２２】
本発明を使用する時、前記バルブを閉めて、前記ビアホールからゴム助剤と触媒を前記撹拌筐体に加え、その後に前記第一電気回転機械を起動し、前記第一電気回転機械が前記第一ギアを通じて前記交換ブロックを回転可能なように駆動し、前記交換ブロックが前記第一交換軸と連動して回転可能にし、前記第一交換軸が前記撹拌アームと連動して回転可能にし、ゴム助剤と触媒をかき混ぜて、ゴム助剤と触媒が混合された後、バルブを開けて、ゴム助剤混合物が前記排泄溝から流れ出る。
【００２３】
全部のゴム助剤混合物が流れ出た後、前記バルブを閉めて、前記ビアホールに洗浄液を加え、その後に前記第二電気回転機械を起動し、前記第二電気回転機械が前記ロータを通じて前記滑り接続ブロックを駆動し下にスライドし、前記電力供給ブロックが前記第二電気接続ブロックと相殺する時、前記電磁石に電力を供給し前記鉄片に作用し、これにより前記ロックギアを前記第二ギアと離れて噛み合わせて、この時に前記第二円錐形プーリーが前記第一円錐形プーリーと噛み合って、その後に第三電気回転機械を起動し、前記第三電気回転機械が前記第二交換軸を回転可能なように駆動し前記接続筒と連動して前記接続ロープを巻戻し、前記第三バネと第四バネの作用のもとで、前記接続板と前記クリーニングブロックが前記撹拌筐体の内壁と張り合わせて、ブロックが上下に伸びて、その後に逆に前記第二電気回転機械を起動し、前記第二電気回転機械が前記ロータを通じて前記滑り接続ブロックを駆動し上にスライドし前記第二円錐形プーリーが前記第一円錐形プーリーと離れて噛み合わせて、前記電力供給ブロックが前記第二電気接続ブロックと離れて相殺させ、その後に前記第一電気回転機械を起動し、前記第一電気回転機械が前記第一交換軸を回転可能なように駆動し、前記第一交換軸が前記接続板と前記クリーニングブロックと連動して前記撹拌筐体の内壁を清掃し、清掃した後の廃水は前記排泄溝より排出する。
【００２４】
本発明は構造が簡単で、撹拌筐体の内壁を清掃することが便利で、清掃効果が良い。
【００２５】
以上に本発明の基本原理、主な特徴と本発明の長所を表明し説明した。本業界の技術者が了解すべきなのは本発明は上記の実施例の制限を受けなく、上記の実施例と説明書に説明したのは本発明の原理で、本発明の意義と原理から離れない前提に本発明に各種の変化と改善があり、これらの変化と改善が本発明の保護範囲にある。本発明の保護範囲は添付の特許請求の範囲と同等内容に画定される。